【事件の表示】
　特願２０００−　　９６１０「弾球遊技機」拒絶査定に対する審判事件［平成１２年　５月２３日出願公開、特開２０００−１４０２４３］について、次のとおり審決する。
【結　論】
　本件審判の請求は、成り立たない。
【理　由】
１・この出願の経緯及びこの出願の発明
　この出願は、平成２年９月６日に出願された特許出願（特願平２−２３８４５１号、以下、原出願という）の一部を平成１１年１月１８日に新たな特許出願（特願平１１−９７０４号）とし、この新たな特許出願の一部を平成１１年２月１５日に新たな特許出願（特願平１１−３５４６３号）とし、この新たな特許出願の一部を平成１１年１２月２０日に新たな特許出願（特願平１１−３６００７４号）とし、この新たな特許出願の一部を平成１２年１月１９日に新たな特許出願としようとしたものであって、その請求項１及び２に係る各発明は、平成１３年１１月１９日付け及び平成１５年５月６日付けの各手続補正によって補正された明細書の特許請求の範囲の請求項１及び２に記載された下記のとおりのものである。
【請求項１】表示装置及び作動口を遊技盤に設け、作動口への遊技球の入賞によって前記表示装置に備えられた表示領域に図柄の可変表示を行い、当り図柄で停止された場合には変動入賞装置が開放し、該入賞装置への入賞に応じて遊技球の払出しを行う払出機能を有した弾球遊技機において、
　前記表示装置の下方には他の遊技装置が介在されないように前記作動口を配置し、前記表示装置の下部には手前側にいくほど下方へ向けて傾斜する領域を設け、その領域に可動片を配置し、該可動片を前記表示装置に備えられた電気的駆動手段によって作動するように構成したことを特徴とする弾球遊技機。
【請求項２】前記電気的駆動手段は、前記可動片を前記領域に対し出没するように動作させることを特徴とする請求項１記載の弾球遊技機。
２・この出願の出願日について
　この出願の特許請求の範囲に記載された「可動片」についてみるに、原出願の願書に添付した明細書又は図面に、「可動片」という記載がなく、「シャッター手段」乃至「シャッター部材」という記載があること、そして、この出願の明細書の段落【００１５】に「可動片としてのシャッター部材」という記載があることが認められる。勿論、カメラ、車庫、窓等のシャッターを思い浮かべれば、なるほど、「シャッター手段」乃至「シャッター部材」が「可動」のものであることは容易に理解し得るところである。しかし、「シャッター」は、「可動」であると共に、普通、「開閉する」という機能を有するものであり、しかも、原出願の願書に添付した明細書又は図面では、「シャッター手段」乃至「シャッター部材」は、図柄表示器を視認し得るように、又、視認し得ないようにするために開閉されるものであるから、図柄表示器と密接不可分のはずのものであるところ、それが図柄表示器と関係なく、すなわち、「シャッター」としての機能を要求されることなく単独に「可動片」として一人歩きすることになると、それはもはや、「開閉する」という機能を要求されないから、例えば、当審の拒絶理由の２において引用された特開昭６３−２７７０７５号公報に記載されている「流下方向変換部材３１５」や、特開昭６０−１８８１８９号公報に記載されている「ガイド片８０４」また、特開平１−１４８２８８号公報も記載されている「可動片１３」のようなものまでを含む概念のものになると認められる。
　すなわち、「可動片」には「シャッター手段」乃至「シャッター部材」のみならず「流下方向変換部材」や「ガイド片」のようなものも含まれ、他方、「シャッター手段」乃至「シャッター部材」には「流下方向変換部材」や「ガイド片」のようなものは含まれないと認められるから、「可動片」と「シャッター手段」乃至「シャッター部材」とを比較すれば、「可動片」はより抽象的且つ広い概念のものであり、「シャッター手段」乃至「シャッター部材」はより具体的且つ狭い概念のものであることは明らかである。
　そうすると、原出願の願書に添付した明細書又は図面に、「シャッター手段」乃至「シャッター部材」が記載されていても、それより抽象的且つ広い概念のものである「可動片」までが記載されているとは到底認められないのである。
　したがって、この出願の請求項１及び２に係る各発明は、原出願の願書に添付した明細書又は図面に記載されていない事項を構成に欠くことができない事項とするものであるから、この出願は、原出願の一部が、特許法第４４条の規定により、新たな出願とされたものとは認められず、それゆえ、この出願の出願日は、この出願がされた平成１２年１月１９日である。
３・引用例に記載された発明
　これに対して、当審の拒絶理由の３において引用された、この出願（上記２・に記したように、出願日は、平成１２年１月１９日である）の出願前に国内で頒布された刊行物である特開平４−１１７９８１号公報（原出願の公開公報、以下、引用例という）には、
特に、
（１）「遊技者が大きな利益を得る」（第１頁右下欄第１４，１５行）の記載から、
パチンコ機が入賞装置４への入賞に応じて遊技球の払出しを行う払出機能を有しているものと認められること、
（２）第１図（第７頁）及び第２図（第８頁）の記載から、
表示装置２０の下方には他の遊技装置が介在されないように始動入賞口７ａが配置され、前記表示装置２０の下部には手前側にいくほど下方へ向けて傾斜する領域が設けられ、その領域にシャッター部材２７が配置されているものと認められること、
（３）第２図（第８頁）の記載から、
シャッターソレノイド３４が表示装置２０に備えられているものと認められること、
（４）第２図（第８頁）、「シャッター部材２７が出没穴２８から突出し」（第３頁右下欄第１０，１１行）及び「シャッター部材２７を出没穴２８から没入させ」（第６頁右上欄第２，３行）の記載から、
シャッター部材２７が傾斜する領域に対し出没するように動作するものと認められること、
からみて、
「表示装置２０及び始動入賞口７ａを遊技盤１に設け、始動入賞口７ａへの打球の入賞によって前記表示装置２０に備えられた図柄表示器２５ａ〜２５ｃに図柄の変動表示を行い、当り図柄で停止された場合には変動入賞装置４が開放し、該入賞装置４への入賞に応じて遊技球の払出しを行う払出機能を有したパチンコ機において、
　前記表示装置２０の下方には他の遊技装置が介在されないように前記始動入賞口７ａを配置し、前記表示装置２０の下部には手前側にいくほど下方へ向けて傾斜する領域を設け、その領域にシャッター部材２７を配置し、該シャッター部材２７を前記表示装置２０に備えられたシャッターソレノイド３４によって作動するように構成したパチンコ機」（引用例に記載された発明Ａ）
及び
「前記シャッターソレノイド３４は、前記シャッター部材２７を前記領域に対し出没するように動作させる引用例に記載された発明Ａのパチンコ機」（引用例に記載された発明Ｂ）
を構成とする発明が記載されているものと認められる。
４・対比及び判断
　この出願の請求項１に係る発明及び請求項２に係る発明（前者）と引用例に記載された発明Ａ及び発明Ｂ（後者）とを、それぞれ対比すると、
上記２・に記したように、「可動片」が「シャッター部材」の広い概念のものであり、「可動片」に、「シャッター部材」が含まれ、且つ、上記２・にも記したように、この出願の明細書の段落【００１５】に「可動片としてのシャッター部材」という記載があることからすれば、
後者の「シャッター部材」が前者の「可動片」に相当するものということができ、
又、
後者の
「始動入賞口７ａ」、「打球」、「図柄表示器２５ａ〜２５ｃ」、「変動表示」、「パチンコ機」及び「シャッターソレノイド３４」
がそれぞれの機能に照らし、それぞれ
前者の
「作動口」、「遊技球」、「表示領域」、「可変表示」、「弾球遊技機」及び「電気的駆動手段」
に相当するものと認められるから、
両者は、一致するものと認められる。
５・まとめ
　したがって、この出願の請求項１及び２に係る各発明は、引用例に記載された発明であるから、特許法第２９条第１項第３号の規定により特許を受けることができない。
　よって、結論のとおり審決する。